(57)【要約】【課題】  浄水効果が高く、かつフィルタの清掃や交換作業が容易な観賞魚用水槽を提供する。【解決手段】  水槽１の上部に設置されたケース３のほぼ中央にポンプ室３ｅを、またポンプ室３ｅの両側に、多孔板１０とその上側にフィルタ１２が着脱自在に収容された濾過室３ｃを設けて、水中ポンプ８によりポンプ室３ｅに吸い上げられた水槽１内の水を、多孔板１０の下方からフィルタ１２内へ流入させ、フィルタ１２を通過した浄化水をケース３の両端側に設けられた排水管１３により水槽１内へ流入させたもので、水中ポンプ８により加圧された水がフィルタ１２内へ送られて濾過されるため、フィルタ１２の上方から水をかけ流して濾過するものに比べて浄化効率が向上する上、各濾過室３ｅ毎にフィルタ１２が分割されているので、フィルタの清掃や交換作業も容易である。【選択図】  図２
2006230212.tif 000002
【特許請求の範囲】
【請求項１】
水中ポンプにより水槽内から吸い上げられた水を、前記水槽の上部に設置された濾過装置本体のケース内に設けられたフィルタにより濾過した後、前記水槽内へ循環させる観賞魚用水槽の濾過装置であって、前記ケースのほぼ中央にポンプ室を、また前記ポンプ室の両側に濾過室を設け、前記濾過室内には、多孔板とその上側にフィルタを着脱自在に設けて、前記水中ポンプにより前記ポンプ室に吸い上げられた前記水槽内の水を、前記多孔板の下方から前記フィルタ内へ流入させることにより、水に混入した不純物を前記フィルタにより濾過すると共に、前記フィルタを通過した浄化水を、前記ケースの両端側に設けられた排水管により前記水槽内へ流入させることを特徴とする観賞魚用水槽の濾過装置。
【請求項２】
前記ケースの両端側に、仕切り板により前記濾過室と区画された排水室を設けて、前記濾過室内の浄化水を前記仕切り板の上端側より前記排水室へオーバーフローさせると共に、前記排水室に流入した浄化水を、前記排水室の底部に設けた排水管により前記水槽内へ流入させるようにしてなる請求項１に記載の観賞魚用水槽の濾過装置。
【請求項３】
前記排水管をほぼＬ字形に形成し、かつ前記排水管の上部を前記排水室の底部に設けられた嵌合筒に回転自在に嵌挿してなる請求項２に記載の観賞魚用水槽の濾過装置。
【発明の詳細な説明】
【技術分野】
【０００１】
本発明は、浄水効果が高く、かつフィルタの清掃や交換作業が容易な観賞魚用水槽の濾過装置に関する。
【背景技術】
【０００２】
従来金魚や熱帯魚等の観賞魚を飼育する観賞魚用水槽には、水槽内の水を浄化する濾過装置が設置されており、この種の濾過装置としては、フィルタを収容したケースを水槽内に設置して、水槽内の水を浄化する内部式濾過装置と、フィルタを収容したケースを水槽の上部等に設置した外部式濾過装置とがある。
内部式濾過装置は、水槽の外に設置する場所を必要としないことから、設置が容易である利点を有する反面、スペース的に大きなフィルタを使用できないことから、フィルタが早期に目詰まりするため、頻繁にフィルタの清掃を行わなければならない上、水槽内より取り出してフィルタの清掃を行わなければならないため、手間がかかる欠点がある。
【０００３】
外部式濾過装置は、前部式濾過装置のような欠点がなく、かつ浄化能力も大きいため、比較的大型の飼育水槽に使用されており、外部式濾過装置としては、例えば特許文献１に記載されたものが公知である。
前記特許文献１に記載された外部式濾過装置は、水中ポンプより吸い上げた水槽内の水を、水槽の上部に設置した濾過ケースへ循環させ、一部はシャワー間を通して水槽内へ直接戻すと共に、残りはサイホン作用を利用して濾過ユニットを通過させた後、水槽内へ戻すようにしたもので、未浄化水の浄化能率を大幅に向上させることができる効果を有している。    
【特許文献１】特開２００４−１７４３６４号公報
【発明の開示】
【発明が解決しようとする課題】
【０００４】
しかし前記特許文献１に記載の外部式濾過装置では、予めユニット化された複数の濾過ユニットを使用していることから、濾過能力を大きくするためには、より多くの濾過ユニットを設ける必要がある上、濾過ユニットは従来のグラスウール等からなるフィルタに比べて高価なため、濾過装置全体が高価になると共に、濾過ユニットを個々に清掃しなければならないため、清掃に手間と時間がかかる等の問題がある。
また濾過ユニットにより浄化された水を１個所の排水口より水槽内へ戻す構造のため、浄化された水と水槽内の水の攪拌が十分に行われず、その結果浄化効率が悪い等の問題もある。
【０００５】
本発明はかかる従来の問題を改善するためになされたもので、浄水効果が高く、かつフィルタの清掃や交換作業が容易な観賞魚用水槽を提供することを目的とするものである。
【課題を解決するための手段】
【０００６】
本発明の観賞魚用水槽の濾過装置は、水中ポンプにより水槽内から吸い上げられた水を、水槽の上部に設置された本体のケース内に設けられたフィルタにより濾過した後、水槽内へ循環させる観賞魚用水槽の濾過装置であって、ケースのほぼ中央にポンプ室を、またポンプ室の両側に濾過室を設け、濾過室内には、多孔板とその上側にフィルタを着脱自在に設けて、水中ポンプによりポンプ室に吸い上げられた水槽内の水を、多孔板の下方からフィルタ内へ流入させることにより、水に混入した不純物をフィルタにより濾過すると共に、フィルタを通過した浄化水をケースの両端側に設けられた排水管により水槽内へ流入させたものである。
【０００７】
前記構成により、水中ポンプにより加圧された水がフィルタ内へ送られて、フィルタにより水中の不純物が濾過されるため、従来のフィルタの上方から水をかけ流して濾過するものに比べて浄化効率が向上する上、フィルタに多少目詰まりがあっても、水中ポンプの送水圧でフィルタ内へ水を強制的に流入させることができ、これによってフィルタの清掃周期を延長することができるため、濾過装置を清掃する手間や時間を大幅に削減することができる。
また濾過室毎に分割されたフィルタを個別に清掃することができるため、比較的大型な水槽に設置された濾過装置であっても、フィルタの清掃作業や交換作業が短時間で容易に行えると共に、グラスウールや不織布等からなる安価なフィルタが使用できるため、維持管理費の削減も図れる。
【０００８】
本発明の観賞魚用水槽の濾過装置は、ケースの両端側に、仕切り板により濾過室と区画された排水室を設けて、濾過室内の浄化水を仕切り板の上端側より排水室へオーバーフローさせると共に、排水室に流入した浄化水を、排水室の底部に設けた排水管により水槽内へ流入させるようにしたものである。
【０００９】
前記構成により、フィルタにより濾過されない水が水槽内に流れ込むことがないため、フィルタによる浄化効果がさらに向上する。
【００１０】
本発明の観賞魚用水槽の濾過装置は、排水管をほぼＬ字形に形成し、かつ排水管の上部を排水室の底部に設けられた嵌合筒に回転自在に嵌挿したものである。
【００１１】
前記構成により、排水管の排水口の向きを水槽の状態に応じて調整することにより、水槽内全体に最適な水流を形成することができるため、水槽内を効率よく撹拌することができるようになり、これによってフィルタによる浄化効率がさらに向上すると共に、水面近くに浄化水を排出することにより、水槽内の水により多くの酸素を取り込むことができるため、観賞魚を飼育するのに最適な水質が容易に得られるようになる。
【発明の効果】
【００１２】
本発明の観賞魚用水槽の濾過装置によれば、水中ポンプにより加圧された水がフィルタ内へ送られて、フィルタにより水中の不純物が濾過されるため、従来のフィルタの上方から水をかけ流して濾過するものに比べて浄化効率が向上する。
【発明を実施するための最良の形態】
【００１３】
本発明の実施の形態を、図面を参照して詳述する。
図１は水槽上に設置された濾過装置の斜視図、図２は同分解斜視図、図３は同断面図である。
金魚や熱帯魚等の観賞魚を飼育する水槽１は、４面がガラスや合成樹脂からなる透明板で形成された上面が開口する箱形に形成されていて、上面の開口部１ａに、開口部１ａのほぼ半分を覆うように濾過装置本体２が設置されている。
濾過装置本体２は、上面が開口した長方形状のケース３を有していて、ケース３の底面に突設された嵌合突部３ａを水槽１の開口部１ａに嵌合することにより、水槽１に対して位置がずれないように設置されている。
ケース３の開口部３ｂには、長手方向のほぼ中央から２分割された２個の透明な蓋体４が着脱自在に取り付けられており、ケース３及び蓋体４は、何れも合成樹脂により成形されている。
【００１４】
ケース３内は図３に示すように、中央部に２枚、両端側に各１枚の仕切板５、６が設けられている。
中央に設けられた２枚の仕切板５は、ケース３内を中央から左右に２分割して、ケース３内の左右に２室の濾過室３ｃを形成するもので、ケース３の内側面に縦方向に設けられたガイド溝（図示せず）へ上方から挿入できるようになっている。
ケース３の両端側に設けられた仕切板６は、ケース３と一体成形されていて、ケース３の両端部には排水室３ｄを形成しており、中央の仕切板５より高さが低くなっていて、濾過室３ｃよりオーバーフローした水が排水室３ｄへ流入するようになっている。
ケース３の中央に設けられた２枚の仕切板５の間はポンプ室３ｅとなっていて、ポンプ室３ｅの底部に設けられた逆Ｌ字形の吐出口７に、水中ポンプ８の吐出管９が下方から接続されている。
【００１５】
水中ポンプ８は水槽１の内底部近傍に設置されていて、図示しないポンプスイッチ及びレコード１１を介して電源に接続されている。
水中ポンプ８の吐出口に伸縮自在な吐出管９の下端が接続されていて、この吐出管９により水中ポンプ８の水槽１の内底部近傍に保持されており、水槽１の高さに応じて吐出管９を伸縮することにより、水槽１の内底面から任意な高さに水中ポンプ８が設置できるようになっている。
水中ポンプ８により吸い上げられた水槽１内の水は、吐出管９を介してケース３内のポンプ室３ｅへ吐出されるようになっている。
ポンプ室３ｅを形成する２枚の仕切板５の下部には切欠５ａが形成されていて、ポンプ室３ｅへ吐出された水槽１内の水は、これら切欠５ａより左右の浄化室３ｃの底部へ流入されるようになっている。
【００１６】
浄化室３ｃの底部には、各濾過室３ｃ毎にスノコ状の多孔板１０が収容されている。
多孔板１０の底面には、複数の脚部１０ａが突設されていて、これら脚部１０ａにより多孔板１０とケース３内底面との間に、仕切り板５の切欠５ａとほぼ同じ高さの間隙が形成されており、各多孔板１０は、フィルタ１２を清掃する際、ケース３の開口部３ａより簡単に脱着できるようになっている。
フィルタ１２は、グラスウールや不織布等により形成された濾材によりマット状に形成されていて、各濾過室３ｃ毎に設けられており、多孔板１０上に浮き上がらないよう敷き詰められている。
そして多孔板１０の各孔１０ｂより上昇した水槽１内の水がフィルタ１２を通過する際、水に混入した糞や残餌等の不純物が濾過されるようになっており、フィルタ１２を通過した浄化水は、ケース３の両端側に設けられた仕切板６をオーバーフローして、排水室３ｄへ流入するようになっている。
【００１７】
排水室３ｄの底面には排水口３ｆが開口されていて、排水孔３ｆの開口縁には嵌合筒３ｇが上方へ突設されている。
嵌合筒３ｇの外周面には、互いに対向する位置に上下方向にガイド溝３ｈが形成されていて、これらガイド溝３ｈに、排水管１３の上端側外周面に突設された突起１３ａがケース３の下方から嵌合できるようになっている。
排水管１３はＬ字形に形成されていて、突起１３ａより下側にフランジ１３ｂが突設されており、フランジ１３ｂがケース３の底面に当接した状態で排水管１３を回転すると、突起１３ａが嵌合筒３ｇの上端面に乗り上げて、突起１３ａとフランジ１３ｂによりケース３の底面に、図３に示すように排水管１３が保持されるようになっている。
また排水管１３は突起１３ａが嵌合筒３ｇの上端面に圧着された状態となっているため、排水管１３を回転して、下端に開口された排水口１３ｃを任意な方向へ調整した場合に、突起１３ａと嵌合筒３ｇ上端面の摩擦力により、排水口１３ｃを調整位置に保持できるようになっている。
【００１８】
次に前記構成された飼育水槽の濾過装置の作用を説明すると、水槽１の上部開口に濾過装置本体２のケース３を設置したら、ケース３内の各濾過室３ｃに多孔板１０とフィルタ１２をセットし、ポンプ室３ｃ底部の吐出口に、吐出管９を介して水中ポンプ８を接続する。
次に排水室３ｄ底部の排水孔３ｆより排水管１３の上端を挿入したら、排水管１３を回転して、嵌合筒３ｇに排水管１３を取り付けるが、このとき排水管１３の排水口１３ｃを水槽１の壁面側へ向けることにより、排水口１３ｃより排出される水を水槽１内の広範囲に拡散することができる。
【００１９】
濾過装置本体１の設置が完了したら、ポンプスイッチをオンにすると、水中ポンプ８により吸い上げられた水槽１内の水が図３の矢印で示すように、ポンプ室３ｅ内から仕切板５下端の切欠５ａを経て多孔板１０の下側へ流入する。
そして多孔板１０の孔１０ａを通過した水は、多孔板１０の上側に設けられたフィルタ１２を通過する際に、水に混入した不純物が濾過されるようになる。
また水中ポンプ８により加圧された水がフィルタ１２内へ強制的に送られるため、従来のフィルタ１２の上方から水をかけ流して濾過するものに比べて浄化効率がよい上、フィルタ１２に多少目詰まりがあっても、水中ポンプ８の吐出圧でフィルタ１２内へ水を流すことができるため、フィルタ１２の清掃周期を延長することが可能となる。
【００２０】
フィルタ１２により不純物が濾過された浄水は、排水室３ｄへオーバーフローした後、排水管１３の排水口１３ｃより水槽１内の水面付近へ排出されるが、排水管１３の排水口１３ｃを水槽１の壁面側へ向けておくことにより、水槽１内全体に水流が形成されて、水槽１内を効率よく撹拌することができるため、浄化された水と水槽１内の水が十分に混合されて、浄化された水のみが再び水中ポンプ８により本体２側へ送水されることが少なくなり、これによってフィルタ１２による浄化効率が向上すると共に、水面近くに排出された水により水槽１内の水により多くの酸素を取り込むことができるようになるため、観賞魚を飼育するのに最適な水質が容易に得られるようになる。
また水槽１の水底付近に設置した水中ポンプ８により水槽１内の水を吸い上げるようにしたことから、水槽１内の水位が低下した場合でも、濾過装置本体２へ水槽１内の水を循環させることができるため、フィルタ１２による浄化効果が低下することがない。
【００２１】
なお前記実施の形態では、フィルタ１２にグラスウールや不織布等を使用しているが、活性炭や活性炭と濾材を組み合わせたフィルタを使用しても、勿論よい。
またポンプと電動機が一体となった水中ポンプ８を水槽１内に設置して水槽１内の水を汲み上げるようにしたが、プロペラよりなるポンプを水中に設置し、電動機をケース３内のポンプ室３ｅに設置した水中ポンプを使用して、水槽１内の水をポンプ室３ｅ内に汲み上げるようにしても勿論よい。
【図面の簡単な説明】
【００２２】
【図１】本発明の実施の形態になる観賞魚用水槽の濾過装置の斜視図である。
【図２】本発明の実施の形態になる観賞魚用水槽の濾過装置の分解斜視図である。
【図３】本発明の実施の形態になる観賞魚用水槽の濾過装置の断面図である。
【符号の説明】
【００２３】
１    水槽
２    濾過装置本体
３    ケース
３ｃ    濾過室
３ｄ    排水室
３ｅ    ポンプ室
３ｇ    嵌合筒
６    仕切り板
８    水中ポンプ
１０    多孔板
１２    フィルタ
１３    排水管
１３ｃ    排水口
【図１】
2006230212.tif 000003
【図２】
2006230212.tif 000004
【図３】
2006230212.tif 000005